(57)【特許請求の範囲】
【請求項１】
次の要件（Ａ01）〜（Ａ03）を備えたことを特徴とする画像形成装置、
（Ａ01）画像形成装置本体に対して前後方向に出入可能且つ画像形成装置本体によりスライド可能に支持されるとともに画像形成動作時に作動する回転部材を支持するドロア、
（Ａ02）前記ドロアの後部フレームの後面に着脱可能に支持されたモータユニットを、前記後部フレームの前側から前記後部フレームに対して固定および固定解除が可能な固定手段、
（Ａ03）前記回転軸を回転可能に支持する前記ドロアの前記後部フレームであって、前記モータユニットが前後に移動可能な空間を上方に形成するように配置された前記後部フレーム。
【請求項２】
次の要件（Ａ04），（Ａ05）を備えたことを特徴とする請求項１記載の画像形成装置、
（Ａ04）前記後部フレームの後側上方から下方に下ろしたときに下方に落下しないように支持される被支持部を有するモータブラケットと、前記モータブラケットに支持されたモータと、前記モータと共に回転するユニット側ギヤとを有するモータユニット、
（Ａ05）前記後部フレームの後側上方から下方に移動するモータブラケットの前記被支持部を支持する支持部を有する前記後部フレーム。
【発明の詳細な説明】
【０００１】
【発明の属する技術分野】
本発明は、複写機やレーザープリンタ、その他の静電写真方式の画像形成装置に関し、画像形成装置本体に対して出入可能に支持されたドロアを有する画像形成装置に関する。
【０００２】
【従来の技術】
この種の画像形成装置としては、従来、次の技術（Ｊ01）が知られている。
（Ｊ01）図６に示す技術
図６は従来の画像形成装置のドロアにモータユニットを取付ける方法の説明図であり、画像形成装置の後側から見た図である。
図６では、画像形成装置本体に対して出入可能なドロア０１の後部フレーム０１aを後側から見た図が示されている。なお、前記後部フレーム０１aを有するドロア０１には図示しないベルトや定着ロール等の回転部材が支持されており、前記回転部材を駆動するためのモータユニット０２は、ベースプレート０３とベースプレート０３に支持されたモータ０４、回路基板（図示せず）およびそのカバーケース０５等を有している。カバーケース０５には放熱のための複数の開口０５aが形成されている。
前記モータユニット０２はドロア０１の後部フレーム０１aの後側面にねじ０６により着脱可能に固定されている。
【０００３】
【発明が解決しようとする課題】
（前記従来技術（Ｊ01）の問題）
前記図６に示す従来技術では、例えばモータ０４が故障等して着脱する必要がある場合は、画像形成装置の後側にまわって、画像形成装置本体の後側カバー及びその内側に内蔵されている電気部品等を取り外してから、モータユニット０２の着脱を行うか、または前記後部フレーム０１aを有するドロア０１を画像形成装置本体から引き出してから、モータユニットの着脱を行っていた。このため、着脱作業に時間が掛かり、メンテナンスが面倒であるという問題点があった。
【０００４】
本発明は、前述の問題点に鑑み、次の（Ｏ01）記載内容を課題とする。
（Ｏ01）画像形成装置本体に対して出入可能なドロアに支持された回転部材を回転させるためのモータのメンテナンスを容易に行えるようにすること。
【０００５】
【課題を解決するための手段】
次に、前記課題を解決した本発明を説明するが、本発明の説明において本発明の構成要素の後に付記したカッコ内の符号は、本発明の構成要素に対応する後述の実施例の構成要素の符号である。なお、本発明を後述の実施例の構成要素の符号と対応させて説明する理由は、本発明の理解を容易にするためであり、本発明の範囲を実施例に限定するためではない。
【０００６】
（第１発明）
前記課題を解決するために、本出願の第１発明の画像形成装置は、次の要件（Ａ01）〜（Ａ03）を備えたことを特徴とする、
（Ａ01）画像形成装置本体（Ｕ2）に対して出入可能且つ画像形成装置本体（Ｕ2）によりスライド可能に支持されるとともに画像形成動作時に作動する回転部材（ＢＨ）を支持するドロア（Ｆs）、
（Ａ02）前記ドロアの後部フレーム（３）の後面に着脱可能に支持されたモータユニット（１１）を、前記後部フレーム（３）の前側から前記後部フレーム（３）に対して固定および固定解除が可能な固定手段（６ａ＋６ａ′＋１３ａ＋１４ａ＋２０）、
（Ａ03）前記回転部材（ＢＨ）の回転軸（ＢＨa）を回転可能に支持するドロア（Ｆs）の後部フレーム（３）であって、モータユニット（１１）が前後に移動可能な空間を上方に形成するように配置された後部フレーム（３）。
【０００７】
（第１発明の作用）
ドロア（Ｆs）の後部フレーム（３）において、後部フレーム（３）の前側から固定手段（６ａ＋６ａ′＋１３ａ＋１４ａ＋２０）で後部フレーム（３）にモータユニット（１１）を取り付けているため、ドロア（Ｆs）を画像形成装置本体（Ｕ2）から前方へ引き出し、モータユニット（１１）を取り付けている固定手段（６ａ＋６ａ′＋１３ａ＋１４ａ＋２０）に一般工具（ドライバ等）をアクセスすることができる。
そして、ドロア（Ｆs）を外すことなく、ドロア（Ｆs）の後部フレーム（３）からモータユニット（１１）を着脱することができる。
前記回転部材（ＢＨ）の回転軸（ＢＨa）を回転可能に支持するドロア（Ｆs）の後部フレーム（３）へのモータユニット（１１）の着脱作業時に、後部フレーム（３）の上方の空間を利用してモータユニット（１１）を後部フレーム（３）の前後に移動させることができる。
【０００８】
【発明の実施の形態】
（実施の形態１）
本発明の実施の形態１の画像形成装置は、前記本発明において下記の要件（Ａ04），（Ａ05）を備えたことを特徴とする、
（Ａ04）前記後部フレーム（３）の後側上方から下方に下ろしたときに下方に落下しないように支持される被支持部（１６）を有するモータブラケット（１２）と、前記モータブラケット（１２）に支持されたモータと、前記モータと共に回転するユニット側ギヤ（Ｇ２，Ｇ３）とを有するモータユニット（１１）、
（Ａ05）前記後部フレーム（３）の後側上方から下方に移動するモータブラケット（１２）の前記被支持部（１６）を支持する支持部（５）を有する前記後部フレーム（３）。
【０００９】
（実施の形態１の作用）
前記構成を備えた本発明の実施の形態１の画像形成装置では、モータブラケット（１２）に被支持部（１６）を設けるとともに、前記後部フレーム（３）に前記被支持部（１６）を支持する支持部（５）を設けているので、モータユニット（１１）の着脱時にモータユニット（１１）の落下を防止することができる。
【００１２】
（実施の形態２）
本発明の実施の形態２の画像形成装置は、次の要件（Ａ06）を備えたことを特徴とする。
（Ａ06）前記モータユニット（１１）に形成された複数のねじ孔（１３ａ，１４ａ）と、前記ねじ孔（１３ａ，１４ａ）に対応して後部フレーム（３）に形成された複数のねじ貫通孔（６ａ，６ａ′）と、前記ねじ貫通孔（６ａ，６ａ′）を貫通して前記ねじ孔（１３ａ，１４ａ）に螺合する固定ねじ（２０）とにより構成された前記固定手段（６ａ＋６ａ′＋１３ａ＋１４ａ＋２０）。
【００１３】
（実施の形態２の作用）
ドロア（Ｆs）の後部フレーム（３）へのモータユニット（１１）の固定手段（６ａ＋６ａ′＋１３ａ＋１４ａ＋２０）は固定ねじ（２０）で行っているので、ドロア（Ｆs）の後部フレーム（３）からのモータユニット（１１）の着脱を簡単に行うことができる。
【００１４】
【実施例】
次に図面を参照しながら、本発明の実施の形態の具体例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【００１５】
（実施例１）
図１は本発明の画像形成装置の実施例１の説明図である。
図１において、画像形成装置Ｕは、自動原稿搬送装置Ｕ1とこれを支持するプラテンガラスＰＧを有する画像形成装置本体（複写機）Ｕ2とを備えている。
前記自動原稿搬送装置Ｕ1は、複写しようとする複数の原稿Ｇが重ねて載置される原稿給紙トレイＴＧ1と、原稿給紙トレイＴＧ1から前記プラテンガラスＰＧ上の複写位置（原稿読取位置）を通過して搬送される原稿Ｇが排出される原稿排紙トレイＴＧ2とを有している。
【００１６】
前記画像形成装置本体Ｕ2は、ユーザがコピースタート等の作動指令信号を入力操作するユーザインタフェースＵＩ、露光光学系Ａ等を有している。
前記自動原稿搬送装置Ｕ1でプラテンガラスＰＧ上を搬送される原稿または手動でプラテンガラスＰＧ上に置かれた原稿（図示せず）からの反射光は、前記露光光学系Ａを介して、ＣＣＤ（固体撮像素子）でＲ（赤）、Ｇ（緑）、Ｂ（青）の電気信号に変換される。
ＩＰＳ（イメージプロセッシングシステム）は、前記ＲＧＢの電気信号をＫ（黒）、Ｙ（イエロー）、Ｍ（マゼンタ）、Ｃ（シアン）の画像データに変換して一時的に記憶し、前記画像データを所定のタイミングでレーザ駆動回路ＤＬに出力する。
【００１７】
前記レーザ駆動回路ＤＬに入力されたＫＹＭＣの４色の画像書込データ（レーザ駆動データ）は、所定のタイミングで前記ＤＬから各色の潜像書込装置ＲＯＳk，ＲＯＳy，ＲＯＳm，ＲＯＳcに出力される。
ＫＹＭＣの４色の感光体ドラムＰk，Ｐy，Ｐm，Ｐcは、それぞれのコロトロン状の帯電器ＣＲk，ＣＲy，ＣＲm，ＣＲcにより一様に帯電された後、画像書込領域Ｑ1k，Ｑ1y，Ｑ1m，Ｑ1cにおいて、前記潜像書込装置ＲＯＳk，ＲＯＳy，ＲＯＳm，ＲＯＳcの出力するレーザビームＬk，Ｌy，Ｌm，Ｌcによりその表面に静電潜像が形成される。前記感光体ドラムＰk，Ｐy，Ｐm，Ｐc表面の静電潜像は、現像領域Ｑ2k，Ｑ2y，Ｑ2m，Ｑ2cにおいて現像器Ｄk，Ｄy，Ｄm，Ｄcによりトナー像に現像される。その現像されたトナー像は、前記各感光体ドラムＰk，Ｐy，Ｐm，Ｐc表面の回転移動に伴って１次転写領域Ｑ3k，Ｑ3y，Ｑ3m，Ｑ3cに移動する。
【００１８】
前記感光体ドラムＰk，Ｐy，Ｐm，Ｐc下方には、左右一対の移動台用のスライドレールＳＲ，ＳＲによりスライドフレームＦ１（２点鎖線で表示）が前後（紙面に垂直な方向）にスライド移動可能に支持されている。スライドフレームＦ１にはベルトモジュールＢＭが昇降可能に支持されている。
前記ベルトモジュールＢＭは、ベルトフレームＦ２と、ベルト駆動ロールＲｄ、テンションロールＲｔ、アイドラロール（フリーロール）ＲｆおよびバックアップロールＴ２aを含むベルト支持ロール（Ｒｄ，Ｒｔ，Ｒｆ，Ｔ２a）と、前記ベルト支持ロール（Ｒｄ，Ｒｔ，Ｒｆ，Ｔ２a）により回転移動可能に支持された中間転写ベルトＢと、１次転写ロールＴ１k，Ｔ１y，Ｔ１m，Ｔ１cとを有している。
【００１９】
図１ではベルトモジュールＢＭが上昇位置（感光体ドラムＰk，Ｐy，Ｐm，Ｐc下面に中間転写ベルトＢが接触する位置）に保持された状態が示されているが、前記スライドフレームＦ１を画像形成装置本体Ｕ2に装着または離脱させる際に前後に移動させるときには下降位置（前記感光体ドラムＰk，Ｐy，Ｐm，Ｐcから中間転写ベルトＢが下方に離れた位置）に保持される。このため、前記スライドフレームＦ１およびこれに支持されたベルトモジュールＢＭが画像形成装置本体Ｕ2に対して着脱される際には、ベルトモジュールＢＭは前記感光体ドラムＰk，Ｐy，Ｐm，Ｐcと摩擦接触しないように構成されている。
このような、スライドフレームＦ１を前後移動させる構成およびベルトモジュールＢＭを昇降させる構成は、従来公知（例えば、特開平８−１７１２４８号公報参照）であり、従来公知の種々の構成を採用することが可能である。
【００２０】
前記各感光体ドラムＰk，Ｐy，Ｐm，Ｐc表面に現像されたトナー像は、１次転写領域Ｑ3k，Ｑ3y，Ｑ3m，Ｑ3cで１次転写ロールＴ1k，Ｔ1y，Ｔ1m，Ｔ1cにより前記中間転写ベルトＢに１次転写される。フルカラー画像を形成する場合には、感光体ドラムＰk，Ｐy，Ｐm，Ｐc表面に順次形成される各色のトナー像は、前記１次転写領域Ｑ3k，Ｑ3y，Ｑ3m，Ｑ3cにおいて中間転写ベルトＢ表面に順次重ねて１次転写され、最終的にフルカラーの多重トナー像が中間転写ベルトＢ上に形成される。
単色のモノカラー画像を形成する場合には、１個の現像器のみを使用し、単色トナー像が中間転写ベルトＢ上に１次転写される。
１次転写後、感光体ドラムＰk，Ｐy，Ｐm，Ｐc表面の残留トナーは感光体ドラムクリーナＣＬk，ＣＬy，ＣＬm，ＣＬcによりクリーニングされる。
【００２１】
前記バックアップロールＴ２aに接する中間転写ベルトＢの表面に対向して２次転写ロールＴ２bが配置されており、中間転写ベルトＢおよび２次転写ロールＴ２bの対向する領域には２次転写領域Ｑ4が形成される。前記バックアップロールＴ２aにはコンタクトロールＴ２cが当接している。コンタクトロールＴ２cにはコントローラＣにより制御される電源回路Ｅから所定のタイミングでトナーの帯電極性と同極性の２次転写電圧が印加される。前記各ロールＴ２a〜Ｔ２cにより２次転写器Ｔ２が構成されている。
【００２２】
前記１次転写領域Ｑ3k，Ｑ3y，Ｑ3m，Ｑ3cで前記中間転写ベルトＢ上に転写されたカラートナー像は、前記２次転写領域Ｑ4に搬送される。
中間転写ベルトＢの下方に配置された給紙トレイＴＲ1の記録シートＳは、ピックアップロールＲpにより取り出され、さばきロールＲsにより１枚ずつ分離されてからレジロールＲrに送られる。レジロールＲrは、前記中間転写ベルトＢ上に形成されたカラートナー像が２次転写領域Ｑ4に搬送されるのにタイミングを合わせて、前記記録シートＳを転写前シートガイドＳＧ1から２次転写領域Ｑ4に搬送する。
前記中間転写ベルトＢ上のカラートナー像は、前記２次転写領域Ｑ4を通過する際に前記２次転写器Ｔ２により前記記録シートＳに転写される。２次転写後の前記中間転写ベルトＢは、ベルトクリーナＣＬbによりクリーニングされる。
【００２３】
トナー像が２次転写された前記記録シートＳは、転写後シートガイドＳＧ2、シート搬送ベルト（回転部材）ＢＨ、定着前シートガイドＳＧ3を有する転写定着間シート搬送路ＳＨaにより定着領域Ｑ5に搬送される。前記定着領域Ｑ5に搬送された記録シートＳは定着領域Ｑ5を通過する際に加熱ロールＦhおよび加圧ロールＦpにより構成される一対の定着ロールを有する定着装置Ｆにより加熱定着される。トナー像が定着された記録シートＳは、シート排出路ＳＨ2により搬送されて記録シート排出トレイＴＲ2に排出される。
【００２４】
図１において、定着装置Ｆの下流側には、排出トレイＴＲ2に接続されたシート排出路ＳＨ2および反転路ＳＨ3が設けられている。前記シート排出路ＳＨ2と反転路ＳＨ3との接続部に設けられた切替ゲートＧＴ1により前記定着装置Ｆを通過した記録シートＳの搬送方向を前記シート排出路ＳＨ2または反転路ＳＨ3に切り替える。前記反転路ＳＨ3は、再送路（部分搬送路）ＳＨ4を介して前記給紙路ＳＨ1に接続されている。
【００２５】
前記反転路ＳＨ3および再送路ＳＨ4の接続部に設けられたシート状且つ櫛の歯状のマイラーゲートＧＴ2は、通過する記録シートＳが下方に搬送される際には弾性変形により記録シートＳの下方への移動を許し、マイラーゲートＧＴ2を通過した記録シートＳがスイッチバックして上方に搬送される場合には再送路ＳＨ4の方向に誘導するように構成されている。
両面複写の場合には１面目のトナー像が定着された記録シートＳは反転路ＳＨ3で反転された後、再送路ＳＨ4を通って前記２次転写領域Ｑ4に再送され、２面目にトナー像が転写される。
なお、前記給紙路ＳＨ1と転写定着間シート搬送路ＳＨaとシート排出路ＳＨ2と反転路ＳＨ3と再送路ＳＨ4とからシート搬送装置ＳＨが構成されている。
【００２６】
（ドロアＦs）
図２は本発明の画像形成装置の実施例１の斜視図でドロアを引き出した状態の斜視図である。
図３は同実施例１のドロアの後部フレームにモータユニットの取付けた状態を示す図である。
図４は同実施例１のドロアの後部フレームからモータユニットを外した状態を示す図である。
前記図１において、前記ベルトモジュールＢＭの下方に配置された前記２次転写ロールＴ２bおよび転写後シートガイドＳＧ2は２次転写フレームＦｔにより支持されており、２次転写フレームＦｔはヒンジ軸Ｆa周りに上下に回動可能である。前記２次転写ロールＴ２b、転写後シートガイドＳＧ2および２次転写フレームＦｔにより２次転写ユニットＵｔが構成されている。
また、前記シート搬送ベルトＢＨを回転可能に支持するベルト駆動ロール（図示せず）の駆動ロール軸ＢＨa（図３、図４参照）にはギヤＧａが装着されている。
【００２７】
前記転写前シートガイドＳＧ1、２次転写ユニットＵｔ、シート搬送ベルトＢＨ、定着前シートガイドＳＧ3、定着装置Ｆ、切替ゲートＧＴ1、マイラーゲートＧＴ2、および再送路ＳＨ4等は、ドロア（スライドフレーム）Ｆsにより支持されている。ドロアＦs（図１、図２参照）は、左右一対のスライドレールＳＲ，ＳＲにより画像形成装置本体Ｕ2に対し、前後に出入可能に支持されている。
前記ドロアＦsのプレート状の前部フレーム１にはドロアＦsの出入時に使用する操作ハンドル２（図２参照）が設けられている。
【００２８】
図３において、前記ドロアＦsの後部にはプレート状の後部フレーム３が設けられており、後部フレーム３の前記シート搬送ベルト（回転部材）ＢＨの後側部分には、前記シート搬送ベルトＢＨに回転を伝達するためのギヤＧ１が回転自在に支持されている。
前記後部フレーム３には、前記シート搬送ベルトＢＨのベルト駆動ロール軸ＢＨaが貫通する貫通溝４が形成されている。前記貫通溝４を貫通したベルト駆動ロール軸ＢＨaの後端に装着された前記ギヤＧａと前記ギヤＧ１とは噛み合っている。
前記後部フレーム３の上端５には左右一対の位置決め用突出部６，６が設けられており、前記位置決め用突出部６，６にはそれぞれ、モータユニット固定用のねじ貫通孔６ａ，６ａ（図４Ｂ参照）が形成されている。なお、前記位置決め用突出部６，６の下方にも、モータユニット固定用のねじ貫通孔６ａ′が１か所設けられている。また、前記後部フレーム３の上端５は後述するモータユニット１１を支持するユニット支持部５として構成されている。
【００２９】
図４において、前記モータユニット１１は、モータブラケット１２を有しており、モータブラケット１２は前方に折り曲げてから上方に折り曲げて形成した左右一対のフレーム取付面１３，１３と、前方に折り曲げてから下方に折り曲げて形成したフレーム取付面１４とを有している。前記各フレーム取付面１３，１３，１４は前記後部フレーム３の後面に取付られる面である。前記各フレーム取付面１３，１３，１４にはフレーム固定用のねじ孔１３ａ，１３ａ，１４ａが形成されている。
前記一対のフレーム取付面１３，１３の左右方向の一側には前方に突出するように折り曲げた鉛直な位置決め部１５，１５が形成されている。前記位置決め部１５，１５の下端後部には凹部１６，１６が形成されている。
図３、図４から分かるように、前記凹部１６は前記後部フレーム３の上端５に嵌合して支持される被支持部１６として構成されている。また、前記位置決め部１５，１５は位置決め用突出部６，６の左右方向の外側に配置されるように構成されている。
【００３０】
前記モータブラケット１２の後面にはモータを内蔵したモータケース１８と、モータ駆動用の回路基板（図示せず）と、回路基板の周囲を被覆するカバーケース１９とが支持されている。カバーケース１９には放熱のための複数の開口１４aが形成されている。
また、モータブラケット１２の前面には、前記モータケース１８のモータ出力軸に装着されたギヤ（ユニット側ギヤ）Ｇ２および前記ギヤＧ２に噛み合うギヤ（ユニット側ギヤ）Ｇ３が支持されている。
前記モータユニット１１は、前記符号１２〜１９、Ｇ２，Ｇ３で示された要素により構成されている。
【００３１】
前記モータユニット１１は、画像形成装置本体Ｕ2からドロアＦsを前方に中途まで引き出した状態で、前記後部フレーム３の上端５に前記凹部１６，１６を載せることにより装着可能である。その装着状態で、前記モータユニット固定用のねじ貫通孔６ａ，６ａ′を貫通する固定ねじ２０をフレーム固定用のねじ孔１３ａまたは１４ａにねじ込むことにより、モータユニット１１を後部フレーム３に固定することができる。前記ねじ貫通孔６ａ，６ａ′、ねじ孔１３ａ，１４ａおよび固定ねじ２０により固定手段（６ａ＋６ａ′＋１３ａ＋１４ａ＋２０）が構成されている。
【００３２】
（実施例１の作用）
ドロアＦsの後部フレーム３の前側から固定ねじ２０により後部フレーム３にモータユニット１１を取り付けているため、ドロアＦsを画像形成装置本体Ｕ2から前方へ引き出し、シート搬送装置ＳＨのシート搬送べルトＢＨを取り外すことにより、モータユニット１１を取り付けている固定手段（６ａ＋６ａ′＋１３ａ＋１４ａ＋２０）の固定ねじ２０に一般工具（ドライバ）をアクセスすることができる。
そして，ドロアＦsを外すことなく、ドロアＦsの後部フレーム３からモータユニット１１を着脱することができる。
モータブラケット１２に被支持部１６を設けるとともに、前記後部フレーム３に前記被支持部１６を支持する支持部５を設けているので、前記被支持部１６を支持部（後部フレーム３の上端）に引っかけることにより、モータユニット１１をドロアＦsの後部フレーム３に支持することができる。このため、固定手段としての固定ねじ２０をすベて外しても、モータユニット１１がドロアＦsの後部フレーム３に設けた支持部５から脱落することがない。したがって、モータユニット１１の着脱作業時にモータユニット１１の落下を防止することができる。
また、後部フレーム３に位置決め部６を設けるとともに、モータユニット１１に被位置決め部１５を設けているので、後部フレーム３にモータユニット１１を装着する時の位置決めが容易である。
【００３３】
（実施例２）
図５は本発明の画像出力装置の実施例２の説明要部説明図である。
なお、この実施例２の説明において、前記実施例１の構成要素に対応する構成要素には同一の符号を付して、その詳細な説明を省略する。
この実施例２は、モータブラケット１２の後部フレーム３へ取付部分の構成および後部フレーム３の前記モータブラケット１２が取り付けられる部分の構成が前記実施例１と異なっている。
すなわち、この実施例２では後部フレーム３にモータユニット１１を前から後ろに通過させる切除部が形成されている。モータユニット１１のモータブラケット１２両側部には前方に折り曲げてから外側に折り曲げたフレーム取付面１３′，１３′が設けられている。
この実施例２も前記実施例１と同様に、モータユニット１１を後部フレーム３の前側から着脱することができる。
この実施例２では、ベルト駆動ロール軸ＢＨaは、その後端に装着された前記ギヤＧａがユニット側ギヤＧ３に噛み合うようにドロアＦsに支持される。
【００３４】
【発明の効果】
前述の本発明の画像形成装置は、下記の効果を奏することができる。
（Ｅ01）モータユニット交換の際に画像形成装置の後側に回って多数の部品を取り外すことなく、ドロアを前方に引き出すことにより、モータユニットを取り付けている固定手段に一般工具（ドライバ）をアクセスすることができる。
（Ｅ02）モータユニット交換の際に画像形成装置からドロアを取り外すことなく、モータユニットを着脱することができる。
（Ｅ03）画像形成装置のメンテナンス作業が容易になる。
【図面の簡単な説明】
【図１】  図１は本発明の画像形成装置の実施例１の説明図である。
【図２】  図２は本発明の画像形成装置の実施例１の斜視図でドロアを引き出した状態の斜視図である。
【図３】  図３は同実施例１のドロアの後部フレームにモータユニットの取付けた状態を示す図である。
【図４】  図４は同実施例１のドロアの後部フレームからモータユニットを外した状態を示す図である。
【図５】  図５は本発明の画像出力装置の実施例２の説明要部説明図である。
【図６】  図６は従来の画像形成装置のドロアにモータユニットを取付ける方法の説明図であり、画像形成装置の後側から見た図である。
【符号の説明】
ＢＨ…回転部材（シート搬送ベルト）、ＢＨa…回転部材の回転軸、Ｆs…ドロア、Ｇ２，Ｇ３…ユニット側ギヤ、Ｕ2…画像形成装置本体、
３…後部フレーム、５…支持部（後部フレーム上端）、６ａ，６ａ′…ねじ貫通孔、１１…モータユニット、１２…モータブラケット、１３ａ，１４ａ…ねじ孔、１６…被支持部（凹部）、２０…固定ねじ、
６ａ＋６ａ′＋１３ａ＋１４ａ＋２０…固定手段。
【図１】
0003760706.tif 000002
【図２】
0003760706.tif 000003
【図３】
0003760706.tif 000004
【図４】
0003760706.tif 000005
【図５】
0003760706.tif 000006
【図６】
0003760706.tif 000007